(57)【要約】      （修正有）【課題】キーホルダー本体の側面にボタンを設け、その左右ボタンを同時に押すことにより音とフラッシュ点滅が発動でき、ボタンを離すと音とフラッシュも停止する誤作動を防止できる護身グッズを提供する。【解決手段】キーホルダー本体１の左右の側面にボタンを設け、その左右のボタン２を同時に押し続けると音量が段階的に大きくなる警告音が鳴り、最終的には大きなブザー音鳴動とフラッシュ点滅の機能が同時に発動し、ボタンを離すことで全ての機能が停止する。【選択図】図１
0003222975.tif 000002
【実用新案登録請求の範囲】
【請求項１】
キーホルダー本体の左右の側面にボタンを設け、その左右のボタンを押し続けることにより音量が段階的に大きくなる警告音（ピピッなど）と、最終的には大きなブザー音（ビーッなど）が鳴動し同時にフラッシュが点滅する。ボタンを離すことで音とフラッシュも停止する左右ボタンで操作する警告音機能付き防犯ブザー。
【請求項２】
早急にブザー音とフラッシュ点滅を起動したい場合は、左右のボタンを押しながらキーホルダー本体を下方向に引き、本体内部よりピンを伸ばすこと（ピンは外れずに止まる状態）でブザー音とフラッシュが発動し、逆に左右ボタンを押しながらピンを内部に押し込むとブザー音とフラッシュが停止する左右ボタンで操作する警告音機能付き防犯ブザー。
【請求項３】
デザインは上下を非対称的として、側面はあえて丸みを持たせず滑らずに左右ボタンをつまみやすい形状とした、手探りで操作ができる警告音機能付き防犯ブザー。
【請求項４】
緊急時の大音量のブザー音のみでなく、徐々に音が大きくなる警告音の機能を持たせたことを特徴とする防犯ブザー。
【請求項５】
機能的であることに加えて、本体のデザインとボタンやフラッシュ発光部の配置によって、笑ったキャラクターの顔にも見え、愛称で『かおちゃん』など呼ばれそうな可愛い容姿となっている警戒音機能付き防犯ブザー。
【考案の詳細な説明】
【技術分野】
【０００１】  本考案は、キーホルダー本体の側面にボタン（以下、左右ボタン）を設け、その左右ボタンを同時に押すことにより音とフラッシュ点滅が発動でき、ボタンを離すと音とフラッシュも停止する誤作動を防止できる護身グッズである。
【背景技術】
【０００２】  電車やバスでの痴漢や、暗闇での女性への性的な被害が後を絶たず相変わらず防犯が万全な世の中とはいえない。自分で身を守る方法はあるといっても、とっさの時に人が行える行動は数少ない。また、加害者となるかもしれない方への警告の発信は、犯罪を未然に防ぐ抑止効果があると思われるがその簡易的な手段がない。
【考案の概要】
【考案が解決しようとする課題】
【０００３】  痴漢などに合った際は、声を出して相手と対峙するのは非常に勇気がいるし、間違いだった時などもリスクがある。また、従来のキーホルダー型防犯ブザーでは、発動に引っ張るピンやストラップがほとんどでスタイリッシュでないので携帯がしづらい。ブザーも緊急時の大きな音のみで一瞬で周囲から注目されるため、心理的な負担が大きく、ボタンを押すことをためらう方も中にはいる。上下が対照的で側面に丸みのあるデザインのものが多く操作がしづらい。
【課題を解決するための手段】
【０００４】  危機を感じた時、左右のボタンを押す動作のみで危機回避できる可能性がある。音も段階的に大きくなる警告音であるため、周囲には聞こえなくとも使用者の近くにいる加害者に聞こえさえすれば、行為をやめさせる抑止効果となる可能性があり、ことを荒立てることなく解決できる。最終的には、大きなブザー音が鳴動するので周囲は緊急性に気づくし、フラッシュ点滅が同時に発動すれば夜間でも周囲に緊急性を知らせ助けを求めることが出来る。また、本体に付属するストラップやピンなどがないのでコンパクトで携帯しやすくスタイリッシュで見た目も良い。上下のデザインを非対称的にして、側面に丸みを持たせないことで滑りづらくし手探りでも操作がしやすい形状とする。
【考案の効果】
【０００５】  コンパクトな形状で外観が良くなることで、バックなどにつるすなど携帯に抵抗が減り、すぐに手探りで操作することを可能となる。緊急時のレベルに応じて警告音かブザー音かボタンを離すタイミングで決定できるので、使用者の心理的な負担に配慮し使いやすい。危機を感じた精神的なパニック状態でも、左右のボタンを押す動作のみで危機を回避できる可能性がある。
【図面の簡単な説明】
【０００６】
【図１】キーホルダー本体の表と裏の図面
【図２】内部のピンを引っ張り出した図面
【図３】キーホルダー本体の左右の側面の図面
【考案を実施するための形態】
【０００７】  使用者の手の届く位置（バッグの取っ手、ズボンのベルトループなど）に本体（キーホルダー）をカラビナでつるしておく。周囲に不安を感じる場面では、本体に手を触れていつでも起動できるようにしておく。危機を感じたら左右ボタンを押し警告音を鳴動させ相手に対して警告をする。それでも危機回避が難しい場合はそのまま左右ボタンを押し続けるか左右ボタンを押しながら本体を下方向に引っ張ることで、大きなブザー音とフラッシュ点滅を発動させ周囲に緊急的な状況を知らせる。
【実施例】
【０００８】  電車やバスなど人込みの中で、身体を触られた感覚がある際、本体の左右ボタンを押し警告音を鳴動させる。警告音はボタンを押し続けると徐々に音量が大きくなりボタンを離すと鳴り止むので、適度な音量で一度止めて相手のようすを見て、必要に応じて何度かに分けて相手に対して警告（こちらが不快と思っていることを注意喚起）する。【０００９】  警告音に対しても痴漢行為を止めない場合は、ボタンを押し続けてブザー音とフラッシュ点滅を発動させ周囲に危機的な状況を知らせる。
また、身に危険を及ぼすような威嚇行為やいたずらをされそうになるなど急を要する状況には、本体の左右ボタンを押しながら本体を下方向に引っ張り、即座にブザー音とフラッシュを発動させ周囲に助けを求める。仮に、緊急性のなかった場合でも、左右ボタンを押しながらピンをキーホルダー本体に押し戻すとブザー音とフラッシュは容易に停止できるので、あまり大げさにはなりにくい。
【符号の説明】
【００１０】１  本体
２  左右ボタン
３  フラッシュ発光部位
４  太めのチェーン
５  内部ピンのチェーンへの接続部位
６  内部ピン
７  カラビナ（外されにくい形状のもの）
【図１】
0003222975.tif 000003
【図２】
0003222975.tif 000004
【図３】
0003222975.tif 000005
【手続補正書】
【提出日】令和1年6月14日(2019.6.14)
【手続補正１】
【補正対象書類名】実用新案登録請求の範囲
【補正対象項目名】全文
【補正方法】変更
【補正の内容】
【実用新案登録請求の範囲】
【請求項１】
キーホルダー本体の左右の側面にボタンを設け、その左右のボタンを同時に押し続けると音量が段階的に大きくなる警告音が鳴り、最終的には大きなブザー音鳴動とフラッシュ点滅の機能が同時に発動し、ボタンを離すことで全ての機能が停止することを特徴とした左右ボタンで操作する警告音機能付き防犯ブザー。
【請求項２】
早急にブザー音とフラッシュ点滅を起動したい場合は、左右のボタンを押しながらキーホルダー本体を下方向に引き、本体内部よりピンを伸ばすこと（ピンは外れずに止まる状態）でブザー音とフラッシュ点滅が発動し、逆に左右ボタンを押しながらピンを本体内部に押し込むとブザー音とフラッシュが停止することを特徴とする請求項１記載の左右ボタンで操作する警告音機能付き防犯ブザー。
【請求項３】
デザインは上下の幅を非対称として手探りで上下を認知でき、側面はあえて丸みを持たせないことで滑らずに左右ボタンをつまみやすい形状とした手探りで操作ができることを特徴とする請求項１記載の左右ボタンで操作する警告音機能付き防犯ブザー。
【請求項４】
機能的であることに加えて、本体の形状とボタンやフラッシュ発光部の配置によって、笑ったキャラクターの顔にも見え、可愛い容姿となっていることを特徴とする請求項１記載の左右ボタンで操作する警戒音機能付き防犯ブザー。